(57)【要約】本発明の対象となる製品は、スライド結合器を備える低コストかつ安全性の高いグリップシステムによる窓鍵に関し、空気、埃、雨水など外部からの自然による影響が浸入することを最小限に抑えることができる。この鍵は、スティックグリップ（１ａ）と、溝付きチューブ（１ｂ）と、調整ねじ付きロックシャフト（２ａ）と、調整ねじ付きロックシャフトヘッド（２ｂ）と、スロットカバー（３）と、調整固定ナット（４）と、ロックシャフト引き込みばね（５）と、シャフト・ばね・ナット用スロット（６）と、ロックヘッドナット（７）と、引き込み施錠ヘッド（８）、の８つの主要なパーツで構成される。施錠システムは、両グリップの間に配置され、スライドシステムと１点から接続されている。実施に際して、カウンターパーツは枠上に固定されない。
2012520403.tif 000002
【特許請求の範囲】
【請求項１】
引き違い窓用の結合器を備える施錠可能グリップシステムであって、
スティックグリップ（１ａ）と、
溝付きチューブ（１ｂ）と、
調整ねじ付きロックシャフト（２ａ）と、
調整ねじ付きロックシャフトヘッド（２ｂ）と、
スロットカバー（３）と、
調整固定ナット（４）と、
ロックシャフト引き込みばね（５）と、
シャフト・ばね・ナット用スロット（６）と、
ロックヘッドナット（７）と、
引き込み施錠ヘッド（８）と、を備えるグリップシステム。
【請求項２】
施錠グリップ機構が両ウィングの間に配置されることにより、施錠工程において両ウィングを互いに引っ張ることが可能である、請求項１に記載のグリップシステム。
【請求項３】
スティックグリップ（１ａ）および引き込みカウンターパーツ（８）は一点から接続されている、請求項１又は２に記載のグリップシステム。
【請求項４】
実施に際して枠上にはカウンターパーツが固定されない、請求項１から３のいずれか１つに記載のグリップシステム。
【請求項５】
調整ねじ付きロックシャフト（２ａ）は溝付きチューブ（１ｂ）に対してスライド幅までねじ込められることが可能であり、製品は固定ナット（４）による固定によりあらゆる幅のスライドシステムに利用することができる、請求項１から４のいずれか１つに記載のグリップシステム。
【請求項６】
調整ねじ付きロックシャフト（２ａ）および溝付きチューブ（１ｂ）の代わりに同等のチューブを利用するとともに、
これらのチューブにねじ穴を開けてパーツを互いにねじ込むか、同等のチューブを用いてこれら２つのパーツを留め具によって結合する、といった方法および装置を採ることにより、同様の機能を実施することができる、請求項１から５のいずれか１つに記載のグリップシステム。
【発明の詳細な説明】
【技術分野】
【０００１】
本発明は、引き違い窓に取り付けられる施錠可能ハンドル／グリップシステムに関する。
【背景技術】
【０００２】
窓の施錠機能および閉鎖機能を実現するための開閉装置および開閉ロックは、安全性および断熱性の両方の観点から重要な機能を有し、さらに、外部からくる自然の影響すなわち雨や埃に対する保護機能を有する。これらのことを目的として、多くのハンドル／グリップシステムおよび施錠システムが開発されている。
【０００３】
現状のシステムでは、スライド長さに対応するスライドクレモンボルトが、枠に対応する引き違い窓の両スライドウィングの一部分に固定される。スライドクレモンボルトが枠上に適合するとともにグリップが取り付けられるように、ウィングにてグリップの場所が開放されている。クレモンボルトの連結部分に適合するように、十分な数のＺＡＭＡＫ（合金）カウンターパーツ（ｃｏｕｎｔｅｒ−ｐａｒｔｓ）がスライド枠に取り付けられる。スライドウィングは、グリップが配置されて両方向に引かれる部分から、枠が配置される部分までに保持される。施錠プロセスはグリップを９０度回転させることによりなされる。解錠はグリップを反対方向に９０度回転させることにより確保される。
【０００４】
現状のシステムではいくつかの難点が存在する。その難点を以下で説明する。
【０００５】
スライドウィングが閉じられている場合には、スライド留め具が一体化された部分が様々な天候による影響および埃や雨水による影響を受ける。
【０００６】
また、大気の状態に応じてカウンター調整（ｃｏｕｎｔｅｒ  ａｄｊｕｓｔｍｅｎｔｓ）が上手くいかない場合が多くなってくる。
【０００７】
両スライドウィングに固定されたグリップ（隠れたプールグリップは取り付けられていない）が窓の行き過ぎを防止するため、引き違い窓の内面を拭き取ることができない。
【０００８】
現状のシステムを組み立てるには約２５−３０分の労働力が必要になるため、結果的に労働力の損失やコストの増大につながる。
【０００９】
外部からの単純な介入によって容易に開けられてしまうというように、現状のシステムには安全性に関する重大な欠陥が存在する。
【００１０】
取り付けられたカウンターパーツがスライドウィング上に配置された剛毛のフィルター（ｂｒｉｓｔｌｅ  ｆｉｌｔｅｒ）と擦れるため、結果的にウィングの移動に支障をきたす。
【００１１】
ＺＡＭＡＫ（合金）カウンターパーツは、利用に応じて擦り切れて破壊されるため、非常に頻繁なメンテナンスおよび修理コストを要する。
【発明の概要】
【００１２】
上述の難点を解消するために改良されたシステムの利点は以下の通りである。
【００１３】
施錠グリップ機構が両ウィングの中央に配置されており、施錠工程においてウィングが互いに引っ張られるため、室内気に空気、埃、および雨水が浸入するのを防止することができる。また、グリップは引き違いシステムにおいて一点にて取り付けられるため、システムが開状態にあるときに両スライドウィングの移動能力は制限されない。したがって、スライドウィングの両方の窓を容易に（かつ低コストで）掃除することができる。
【００１４】
グリップおよびカウンターパーツは引き違いシステムにおいて一点に配置されるため、カウンターパーツの調整は予想外に変化しない。したがって、長期間にわたってシステム機能が確保され、メンテナンス／修理にかかるコストを最小限に抑えられる。
【００１５】
枠上に組み立てられるカウンターパーツがないので、スライドウィング上の剛毛のフィルターはいかなる部分とも接触せず、システムの軽快な機能を確保することができる。
【００１６】
施錠システムの利用は１人でちょうど５分の労力でできるため、人件費の削減に対する経済的な貢献が確保される。
【００１７】
このような施錠システムによって閉じられた窓は、外部からの介入に関わらず高い安全性を発揮する。
【図面の簡単な説明】
【００１８】
【図１】スライド結合器を備える鍵の概略断面図
【図２】スライド結合型鍵の分解図
【図３】組み立てられた状態のスライド結合型鍵の断面図
【図４】スティックグリップの概略図
【図５】スティックグリップの部分図
【図６】溝付きチューブの垂直図
【図７】溝付きチューブの水平図
【図８】スロットカバーの概略図
【図９】スロットカバーの部分図
【図１０】調整固定ナットの概略図
【図１１】調整固定ナットの部分図
【図１２】ロック引き込みばねの概略図
【図１３】ロック引き込みばねの部分図
【図１４】シャフト・ばね・ナット用スロットの部分図
【図１５】シャフト・ばね・ナット用スロットの概略図
【図１６】ロックストッパーの概略図
【図１７】ロックストッパーの部分図
【図１８】引き込み施錠カウンターパーツの概略図
【図１９】引き込み施錠カウンターパーツの部分図
【発明を実施するための形態】
【００１９】
上述の目的を達成するために改良された本発明は添付の図面に図示される。図中のパーツには１つずつ番号が振られており、対応する番号は符号の説明に記載の通りである。
【００２０】
本発明の対象となる製品は、基本的に以下の８つのパーツで構成される。スティックグリップ１ａは外側に配置される。溝付きチューブ１ｂは、スティックグリップ１ａの下部に配置され、調整ねじ付きロックシャフト２ａを備える。溝付きチューブ１ｂの内部に溝が形成されていることにより、異なる幅を有するスライドシステムにおける製品の利用が確保される。調整ねじ付きロックシャフト２ａは、ロックシャフト内に入ることにより調整を行う。ロックシャフトヘッド２ｂは引き込み施錠カウンターパーツ８の内部に入り、そこで回転することにより施錠が行われる。他に、調整固定ナット４およびロックシャフト引き込みばね５や、シャフト・ばね・ナット用スロット６を覆うスロットカバー３がある。調整固定ナット４は、調整ねじ付きロックシャフト２ａと溝付きチューブ１ｂとの一体化における固定具として機能し、ロックシャフト引き込みばね５を保持する。調整固定ナット４およびロックシャフト引き込みばね５によれば、シャフト・ばね・ナット用スロット６を利用して調整ねじ付きロックシャフト２ａを引き戻すことができる。シャフト・ばね・ナット用スロット６により、ロックシャフト引き込みばね５は、自身の役割を果たすとともにスロットカバー３へ取り付けられる。ロックヘッドストッパー７は、調整ねじ付きロックシャフト２ａおよびロックシャフトヘッド２ｂがスライドウィングの位置まで下がれることを確保する。引き込み施錠カウンターパーツ８は、ねじ付きロックシャフトヘッドを含み、回転させられることにより施錠を補助する。
【００２１】
スライド結合器を備えるグリップを構成するパーツは、以下のようにして組み立てられる。
【００２２】
調整ねじ付きロックシャフトヘッド２ｂは、ロックヘッドストッパー７の中に通される。その後、シャフトばねがスロット６の中に入れられる。ロックシャフト引き込みばね５が調整ねじ付きロックシャフトヘッド２ｂに取り付けられ、調整固定ナット４が調整ねじ付きロックシャフト２ａに取り付けられる。その後、スロットカバー３は、調整ねじ付きロックシャフト２ａの中に挿入され、スティックグリップ１ａに取り付けられる。このような方法により、スライド結合器を備えるグリップを構成するパーツは互いに固定され、組立の準備が行われる。
【００２３】
（スライド結合器を備えるグリップの組立）
２つのスライドウィングを左右へスライドさせることにより一体化される中央部には、シャフトばね・ナット用スロット６を挿入するのに十分な大きさの穴が部分的に開いている。ロックヘッドストッパー７は、前方部にて左ウィングの内側部分に取り付けられる。下方ウィングの始まり部分には、施錠カウンターパーツ８が取り付けられる。グリップが２ｃｍ前方に押出されて時計回りに９０度回転されると、２つのウィングが施錠される。グリップを反時計回りに９０度回転させると、施錠されているグリップシステムが開錠される。
【００２４】
調整ねじ付きロックシャフト２ａは、溝付きチューブ１ｂに対してスライド幅までねじ込められる。調整完了後に固定ナットによる固定作業が行われ、スライド幅に沿って製品の調整が可能となる。
【００２５】
製品に用いられるスライド幅調整システムは、最も実用的かつ便利な利用形態であり、異なる場面においても、同様の機能を利用することができる。
【００２６】
スティックグリップ１ａと一体的であるとともにスティックグリップ１ａの延長部でもある溝付きチューブ１ｂは、スライド幅に沿った製品の調整および固定に関して重要な役割を担う。スライド幅は、溝付きチューブ１ｂ内に挿入された調整ねじ付きロックシャフト２ａにより調整される。所望の場合には、溝付きチューブ１ｂを同等のチューブに置き換えるとともに調整ねじ付きロックシャフト２ａを同等のパーツに置き換えることでナットによる固定を行うことができる。また、ねじ穴によるねじ込みや留め具による結合といった方法および装置を用いることにより、スペース調整および固定を行うことができる。このようにして同様の機能を実現することができる。
【００２７】
上述の方法に用いられるシステムによれば、外部からの埃および雨水を遮断し、施錠システムの維持および修理にかかるコストを大幅に節約し、施錠システムの全体費用とその組立に要する労働力とを確保することができる。
【符号の説明】
【００２８】
１ａ  スティックグリップ
１ｂ  溝付きチューブ
２ａ  調整ねじ付きロックシャフト
２ｂ  調整ねじ付きロックシャフトヘッド
３  スロットカバー
４  調整固定ナット
５  ロックシャフト引き込みばね
６  シャフトばね・ナット用スロット
７  ロックヘッドストッパー
８  引き込み施錠カウンターパーツ
【図１】
2012520403.tif 000003
【図２】
2012520403.tif 000004
【図３】
2012520403.tif 000005
【図４】
2012520403.tif 000006
【図５】
2012520403.tif 000007
【図６】
2012520403.tif 000008
【図７】
2012520403.tif 000009
【図８】
2012520403.tif 000010
【図９】
2012520403.tif 000011
【図１０】
2012520403.tif 000012
【図１１】
2012520403.tif 000013
【図１２】
2012520403.tif 000014
【図１３】
2012520403.tif 000015
【図１４】
2012520403.tif 000016
【図１５】
2012520403.tif 000017
【図１６】
2012520403.tif 000018
【図１７】
2012520403.tif 000019
【図１８】
2012520403.tif 000020
【図１９】
2012520403.tif 000021
【国際調査報告】
2012520403.tif 000022
2012520403.tif 000023
2012520403.tif 000024